(57)【要約】【課題】注出部と混同して開封部を開封してしまうのを防止すること。【解決手段】詰め替え用パウチ１の上部左側のコーナー部に、第１のノッチ３から切り取り可能な注出部５を設け、注出部５に隣り合って、詰め替え用パウチ１の上部に、第２のノッチ７から切り取り可能な開封部９を設ける。注出部５を第１のノッチ３からハーフカット線５ｃに沿って切り取ると、キャップ部５ａに覆われていた注出口１１が露出する。また、注出部５を切り取ると、注出部５の連結部５ｂが切り取られた後の、詰め替え用パウチ１の上部と開封部９との間に、第２のノッチ７が形成される。第２のノッチ７が形成されると、開封部９を第２のノッチ７からハーフカット線９ａに沿って切り取ることができるようになる。開封部９を切り取ると、詰め替え用パウチ１の上部の開口１ｂが開封される。【選択図】図３
2013154905.tif 000002
【特許請求の範囲】
【請求項１】
積層フィルムを袋状にシールしたパウチの上部のコーナー部に、第１のノッチから切り取ると注出口が開封される注出部が形成され、該注出部に隣り合って前記上部に、第２のノッチから切り取ると開口が開封される開封部が形成された詰め替え用パウチにおいて、
前記注出部は、前記第１のノッチからの前記注出部の切り取り経路を決定するハーフカット線を、前記第１のノッチに連なって有しており、
前記第１のノッチから前記ハーフカット線に沿って前記注出部を切り取ることで、前記上部に前記第２のノッチが形成される、
ことを特徴とする詰め替え用パウチ。
【請求項２】
前記開口に連なり前記パウチの前記側部に延在する切開部をさらに備えており、該切開部を切り開くことで、前記側部の前記開口と連なる第２の開口が開封されることを特徴とする請求項１記載の詰め替え用パウチ。
【発明の詳細な説明】
【技術分野】
【０００１】
本発明は、流動性を有する内容物を密封包装するパウチに係り、特に、ノッチから切り取って開封した注出口から内容物を注ぎ出して他の容器に移し替える詰め替え用パウチに関する。
【背景技術】
【０００２】
流動性を有する内容物を密封包装する詰め替え用パウチでは、内容物を他の容器に移し替える際に容器の外に内容物がこぼれないように、容器の注出口に挿入しやすい幅の狭い注出部をパウチの上部に形成し、注出部をノッチから切り取って内容物の注出口を開封するようにしている。
【０００３】
そして、他の容器に移し替える際にパウチ内に残留する内容物の量を少なくするために、ノッチから切り取ると開封される開封部を、注出部と共にパウチの上部に設ける構成が提案されている（例えば、特許文献１）。
【０００４】
上述した提案によれば、開封した注出口から容器に内容物を移し替えた後に開封部を切り取ってパウチを開封することで、開封されたパウチの開口からパウチ内部の残留内容物の有無を確認したり、パウチを外側からしごいて残留内容物を開口から容器に移し替えたりすることができる。
【先行技術文献】
【特許文献】
【０００５】
【特許文献１】特開２００４−４３０００号公報
【発明の概要】
【発明が解決しようとする課題】
【０００６】
しかしながら、上述した提案では、注出部も開封部も同じように、開封の際にノッチから切り取る構成であることから、ユーザが注出部と開封部とをきちんと見分けないと、注出部と混同して開封部を先に開封してしまう可能性がある。注出部と勘違いして開封部を開封した場合、開封した開口からは、注出部を切り取ることで開封される注出口のように、容器の注出口に挿入して内容物をこぼしにくいように容器に移し替えることができない。
【０００７】
本発明は前記事情に鑑みなされたもので、本発明の目的は、注出部と混同して開封部を開封してしまうのを防止することができる詰め替え用パウチを提供することにある。
【課題を解決するための手段】
【０００８】
前記目的を達成するため、請求項１に記載した本発明の詰め替え用パウチは、
積層フィルムを袋状にシールしたパウチの上部のコーナー部に、第１のノッチから切り取ると注出口が開封される注出部が形成され、該注出部に隣り合って前記上部に、第２のノッチから切り取ると開口が開封される開封部が形成された詰め替え用パウチにおいて、
前記注出部は、前記第１のノッチからの前記注出部の切り取り経路を決定するハーフカット線を、前記第１のノッチに連なって有しており、
前記第１のノッチから前記ハーフカット線に沿って前記注出部を切り取ることで、前記上部に前記第２のノッチが形成される、
ことを特徴とする。
【０００９】
請求項１に記載した本発明の詰め替え用パウチによれば、第１のノッチからハーフカット線に沿って注出部を切り取ることで第２のノッチが形成されるので、注出部を切り取る前には開封部に第２のノッチが存在しないことになる。このため、注出部を第１のノッチから切り取る前に、注出部と間違えて第２のノッチから開封部を誤って切り取ってしまうことがない。
【００１０】
よって、注出部と混同して開封部を開封してしまうのを防止することができる。これにより、注出部を切り取って開封した注出口を容器の注出口に挿入して内容物をこぼしにくいように容器に移し替えることができる。
【００１１】
また、請求項２に記載した本発明の詰め替え用パウチは、請求項１に記載した本発明の詰め替え用パウチにおいて、前記開口に連なり前記パウチの前記側部に延在する切開部をさらに備えており、該切開部を切り開くことで、前記側部の前記開口と連なる第２の開口が開封されることを特徴とする。
【００１２】
請求項２に記載した本発明の詰め替え用パウチによれば、請求項１に記載した本発明の詰め替え用パウチにおいて、第２のノッチから開封部を切り取って開口を開封した後、パウチの側部の切開部を切り開くと、パウチの側部が開封されて、上部の開口と連なる第２の開口が形成される。したがって、内容物の容器への移し替え後にパウチを上部と側部の二面から開封し、残留する内容物の確認や容器への移し替えを漏れなく確実に行えるようにすることができる。
【発明の効果】
【００１３】
本発明によれば、注出部と混同して開封部を開封してしまうのを防止することができる。
【図面の簡単な説明】
【００１４】
【図１】本発明の一実施形態に係る詰め替え用パウチの外観を示す説明図である。
【図２】図１の詰め替え用パウチの注出部を切り取った状態を示す説明図である。
【図３】図２の状態の詰め替え用パウチから開封部をさらに切り取った状態を示す説明図である。
【発明を実施するための形態】
【００１５】
以下、本発明の実施形態について図面を参照しながら説明する。図１は、本発明の一実施形態に係る詰め替え用パウチの外観を示す説明図である。
【００１６】
図１に示す本実施形態の詰め替え用パウチ１は、積層フィルムを図中右端で折り返し、折り返した部分の周縁部を袋状にヒートシールしたパウチで構成されている。なお、周縁部のシールは、接着層を用いる等ヒートシール以外の方法であってもよい。詰め替え用パウチ１の図中上部左側のコーナー部には、第１のノッチ３から切り取り可能な注出部５が設けられており、この注出部５に隣り合って、詰め替え用パウチ１の上部に、第２のノッチ７から切り取り可能な開封部９が設けられている。
【００１７】
注出部５は、後述する注出口１１（図２参照）を覆う有底円筒状のキャップ部５ａと、このキャップ部５ａの開放端側の周縁部から二等辺三角形状に延出する連結部５ｂとを有している。そして、キャップ部５ａと詰め替え用パウチ１の上記コーナー部との隙間によって、第１のノッチ３が形成されている。連結部５ｂの先端側部分は二つ折りに折曲されてヒートシールされており、このヒートシールされた部分は、第２のノッチ７の輪郭に沿って延在するハーフカット線５ｃを介して、開封部９や詰め替え用パウチ１の上部と接続されている。ハーフカット線５ｃは、例えば、積層フィルムの一部の層に切れ目を入れる等、従来公知の構成によって、その箇所から注出部５を切り取りやすくした線のことである。
【００１８】
したがって、詰め替え用パウチ１の上部から開封部９を切り取る際の切り取り開始箇所となる第２のノッチ７は、図２の説明図に示すように、ハーフカット線５ｃに沿って注出部５の連結部５ｂを切り取ることで、詰め替え用パウチ１の上部と開封部９との間に形成される。
【００１９】
注出部５を第１のノッチ３からハーフカット線５ｃに沿って切り取ると、キャップ部５ａに覆われていた注出口１１が露出する。注出口１１は、上方が開放された端面がＵ乃至Ｖ字型の二つ折り状を呈しており、その基部が詰め替え用パウチ１の上部コーナー部の内壁に取り付けられて、先端部分が上部コーナー部の外側に延出している。
【００２０】
この注出口１１は、詰め替え用パウチ１内の流動性を有する内容物（例えば液体）を不図示の容器に移し替える際に、容器の注出口（図示せず）に挿入できるように構成されている。したがって、注出部５を切り取って露出した注出口１１を容器の注出口に挿入し、詰め替え用パウチ１を傾けることで、詰め替え用パウチ１内の内容物を容器にこぼれないように注いで移し替えることができる。
【００２１】
また、詰め替え用パウチ１の上部と開封部９との間には、第２のノッチ７に連なるハーフカット線９ａが形成されている。したがって、注出部５を詰め替え用パウチ１の上部からハーフカット線５ｃに沿って切り取って、詰め替え用パウチ１の上部と開封部９との間に第２のノッチ７を形成すれば、さらに、ハーフカット線９ａに沿って開封部９を詰め替え用パウチ１の上部から切り取ることができるようになる。開封部９を切り取ると、図３の説明図に示すように、詰め替え用パウチ１の上部の開口１ｂ（請求項中の開口に相当）が開封される。
【００２２】
また、図１や図２に示すように、詰め替え用パウチ１の図中右端には、折り返し箇所に沿ってハーフカット線１ａ（請求項中の切開部に相当）が形成されている。図中では図面の見やすさのため詰め替え用パウチ１の右端の輪郭線の内側にハーフカット線１ａを記載しているが、実際には右端の折り返し線上にハーフカット線１ａが形成されている。したがって、ハーフカット線９ａに沿って開封部９を詰め替え用パウチ１の上部から切り取ると、図３に示すように、ハーフカット線１ａに沿って詰め替え用パウチ１の積層フィルムをその折り返し部分から表側１ｃと裏側１ｄに切り離すことができる。即ち、詰め替え用パウチ１の右端部の開口１ｅ（請求項中の第２の開口に相当）が開封される。
【００２３】
詰め替え用パウチ１の開口１ｂ，１ｅを開封すると、注出口１１から注ぎだした内容物の残りが詰め替え用パウチ１内にある場合に、そのことを目視で確認しやすくなる。また、詰め替え用パウチ１を表側１ｃと裏側１ｄから挟んでしごくことで、残った内容物を開口１ｂ，１ｅから漏らさず詰め替え用パウチ１の外に注ぎ出すことができる。注ぎ出した残留内容物を不図示の容器に移し替えることで、詰め替え用パウチ１から容器への内容物の移し替えを無駄なく行うことができる。
【００２４】
なお、ハーフカット線１ａに沿って詰め替え用パウチ１の積層フィルムを表側１ｃと裏側１ｄに切り離せるようにするための構成は、省略してもよい。
【符号の説明】
【００２５】
１  詰め替え用パウチ
１ａ  ハーフカット線（切開部）
５ｃ，９ａ  ハーフカット線
１ｂ  開口
１ｅ  開口（第２の開口）
１ｃ  表側
１ｄ  裏側
３  第１のノッチ
５  注出部
５ａ  キャップ部
５ｂ  連結部
７  第２のノッチ
９  開封部
１１  注出口
【図１】
2013154905.tif 000003
【図２】
2013154905.tif 000004
【図３】
2013154905.tif 000005